(57)【特許請求の範囲】
【請求項１】
人工栽培する植物を収納する人工栽培植物棚と、
第１の接続部と、第２の接続部と、前記第１の接続部および前記第２の接続部の間にわたされた電子基板と、前記電子基板に多数のＬＥＤチップを取り付けたＬＥＤライン光源と、前記第１の接続部と前記第２の接続部の間を渡すように電源電圧を供給する渡り電圧供給線と、前記渡り電圧供給線から前記ＬＥＤライン光源への電力供給を行う接続線または電圧制御回路を備えたＬＥＤ照明具と、
前記人工栽培植物棚に対向するように前記ＬＥＤ照明具を支持する支持体を備え、
前記人工栽培植物棚に複数本の前記ＬＥＤ照明具を配列し、
前記渡り電圧供給線が、配列した複数本の前記ＬＥＤ照明具の前記第１の接続部と前記第２の接続部を異種同士または同種同士を通電可能に接続できる接続構造を備え、
前記支持体が前記ＬＥＤ照明具の外表面に沿う窪み形状または外表面に少なくとも２点以上当接する窪み形状を備え、
前記ＬＥＤ照明具の外形が、前記支持体の前記窪み構造に当接しつつ、その長さ方向から前記支持体に対して順に摺動できる形状であり、
前記支持体および前記支持体を介して支持された前記直管型ＬＥＤ照明具をその長さ方向から順に前記窪み構造に沿って各々の前記直管型ＬＥＤ照明具を前記窪み構造内の各々の所定位置まで摺動させつつ、先行する前記ＬＥＤ照明具の前記第２の接続部に対して後続の前記ＬＥＤ照明具の前記第１の接続部を差し込んで接続してゆき、複数本の前記ＬＥＤ照明具を直列に順々に接続することにより、前記渡り電圧供給線同士を直列に通電し、各々の前記ＬＥＤライン照明具を配設する配設構造を備えていることを特徴とする人工栽培装置。
【請求項２】
前記支持体の窪み形状が、前記人工栽培植物棚の長さ方向の軸に対して前記窪み形状の断面が垂直に設けられたことを特徴とする請求項１に記載の人工栽培装置。
【請求項３】
前記ＬＥＤ照明具同士の接続が直列であり、
前記渡り電圧供給線が、前記第１の接続部を介して供給された電力を同じ前記ＬＥＤ照明具の内部を通って対向する前記第２の接続部まで受け渡す第１の渡り電圧供給線であり、隣接する前記ＬＥＤ照明具の前記第１の接続部と前記第２の接続部の間の通電と前記第１の渡り電圧供給線を介して、隣接し合う前記ＬＥＤ照明具同士を直列に通電できるものであり、
先行する前記ＬＥＤ照明具の前記第２の接続部に対して後続の前記ＬＥＤ照明具の前記第１の接続部を差し込んで接続してゆき、複数本の前記ＬＥＤ照明具を直列に順々に接続することにより、前記第１の渡り電圧供給線同士を直列に通電し、各々の前記ＬＥＤライン光源が前記第１の渡り電圧供給線に対して並列に接続された構成で配設できることを特徴とする１または２に記載の人工栽培装置。
【請求項４】
直列に接続された前記第１の接続部と前記第２の接続部との前記接続構造が、一方が金属製の差し込みピン、他方が金属製のピンホールであり、両者の嵌合により前記接続にかかる箇所において通電可能に接続されることを特徴とする請求項３に記載の人工栽培装置。
【請求項５】
直列に接続される前記第１の接続部と前記第２の接続部の間に間挿される間挿体であって、一方の面が前記第１の接続部と嵌合し合う形状であり、他方の面が前記第２の接続部と嵌合し合う形状であり、前記第１の接続部と前記第２の接続部の間を通電可能に接続することができるものであることを特徴とする請求項３に記載の人工栽培装置。
【請求項６】
前記ＬＥＤ照明具同士の接続が並列であり、
前記渡り電圧供給線が、隣接する前記ＬＥＤ照明具の前記第１の接続部同士を接続し、また、隣接する前記第２の接続部同士を接続し、供給された電力を隣接する前記ＬＥＤ照明具に受け渡す第２の渡り電圧供給線であり、
隣接する前記ＬＥＤ照明具の前記第１の接続部同士を接続し、また、前記第２の接続部同士を接続し、複数本の前記ＬＥＤ照明具を並列に接続することにより、前記第２の渡り電圧供給線に対して各々の前記ＬＥＤライン光源が並列に接続された構成で配設できることを特徴とする請求項１または２に記載の人工栽培装置。
【請求項７】
前記第２の渡り電圧供給線が、複数個の前記ＬＥＤ照明具の間で隣接し合う前記第１の接続部同士を通電可能に並列に接続し、前記第２の接続部同士を通電可能に並列に接続するものであり、前記接続線または電圧制御回路を介して、各々の前記ＬＥＤライン光源が前記第２の渡り電圧供給線に対して並列に接続された構成で配設されていることを特徴とする請求項６に記載の人工栽培装置。
【請求項８】
前記人工栽培植物棚が多段構成となっていることを特徴とする請求項１から７に記載の人工栽培装置。
【請求項９】
人工栽培する植物を収納する人工栽培植物棚と、
第１の接続部と、第２の接続部と、前記第１の接続部および前記第２の接続部の間にわたされた電子基板と、前記電子基板に多数のＬＥＤチップを取り付けたＬＥＤライン光源と、前記第１の接続部と前記第２の接続部の間を渡すように電源電圧を供給する渡り電圧供給線と、前記渡り電圧供給線から前記ＬＥＤライン光源への電力供給を行う接続線または電圧制御回路を備えたＬＥＤ照明具と、
前記支持体が前記ＬＥＤ照明具の外表面に沿う窪み形状または外表面に少なくとも２点以上当接する窪み形状を備え、
前記ＬＥＤ照明具の外形が、前記支持体の前記窪み構造に当接しつつ、その長さ方向から前記支持体に対して順に摺動できる形状であり、
前記人工栽培植物棚に対向するように前記ＬＥＤ照明具を支持する支持体を備えた人工栽培装置において、
前記人工栽培植物棚に対する前記直管型ＬＥＤ照明具の配設作業において、前記支持体および前記支持体を介して支持された前記直管型ＬＥＤ照明具をその長さ方向から順に前記窪み構造に沿って移動させることにより、各々の前記直管型ＬＥＤ照明具を前記窪み構造内の各々の所定位置まで移動させ、先行する前記ＬＥＤ照明具の前記第２の接続部に対して後続の前記ＬＥＤ照明具の前記第１の接続部を差し込んで接続してゆき、複数本の前記ＬＥＤ照明具を直列に順々に接続することにより、前記渡り電圧供給線同士を直列に通電させることにより、前記人工栽培植物棚に複数本の前記ＬＥＤ照明具を配列し、
前記渡り電圧供給線を、配列した複数本の前記ＬＥＤ照明具の前記第１の接続部と前記第２の接続部を異種同士または同種同士を通電可能に接続できる接続構造とし、前記渡り電圧供給線により、配列した複数本の前記ＬＥＤ照明具の前記第１の接続部と前記第２の接続部を異種同士または同種同士を通電することを特徴とする人工栽培装置のＬＥＤ照明具の通電方法。
【発明の詳細な説明】
【技術分野】
【０００１】
本発明は、人工栽培装置に関する。特に、人工照明用のＬＥＤ照明具の配設に工夫が施された人工栽培装置に関する。人工栽培される植物は特に限定されない。
【背景技術】
【０００２】
近年、外界の自然光を用いた従来の伝統農法ではなく、屋内で人工照明を利用して植物を育成する植物の人工栽培技術が注目を浴びている。人口栽培では植物種に応じて、青色、赤色、遠赤色など適した波長の光を照射することによって植物の開花を制御したり成長を促進したりすることが可能となってきている。
人工照明の光源としては、近年、高出力のＬＥＤ素子（発光ダイオード素子）の開発が進み、従来の白色電球による照明や、蛍光灯による照明に代え、いわゆるＬＥＤ照明具が利用され始めている。特に、白色ＬＥＤ素子は、多数の波長の光を発光するできるため、植物の人工栽培装置用の人工照明として適したものであり、また、ＬＥＤ素子が持つ小型・省電力・長寿命という特性も相まって普及に弾みがついている。また、ＬＥＤ素子は発光する光の波長が比較的そろっており、発熱量が比較的少ないことから、ＬＥＤ素子を多数配列した人工照明装置を人工栽培用の照明器具として使用するが提案されている【０００３】
従来技術において、ＬＥＤ素子を多数並べたＬＥＤ照明装置を用いた人工栽培装置として提案されたものがある。
特許文献１（特開２０１３−１７３９７号公報）に開示された植物栽培装置は、図１５に示すように、栽培槽２を載せる載置棚４を有する栽培ラック３と、載置棚４の上方に間隔をおいて配置されたＬＥＤ照明具５とを備えている。栽培ラック３の構造は、多数の垂直支柱８を並べ、垂直支柱８を横同士でつなぐ横部材９でつないで１面の垂直枠７を組み、左右一対の垂直枠７Ａ７Ｂ同士を橋梁するように連結部材１８で橋梁することで栽培ラック３を形成している。この垂直枠７の垂直支柱８の側面に出っ張りとなる多数の支持部６を突出させ、この支持部６にＬＥＤ照明具５を取り付けるものである。同公報の００２８段にあるように、ＬＥＤ照明具５は、支持部６の受け部３２に対してねじ止め、リベット止めなどにより垂直支柱８に固定されることが開示されている。【０００４】
また、特許文献２（特開２０１５−００６１６２号公報）に開示された植物栽培装置は、図１６に示すように、栽培ラックにＬＥＤ照明具５が配置されており、ＬＥＤ照明具５は、額縁状の枠１５と、枠１５に着脱自在に取り付けられた複数のＬＥＤ灯具１６と、ＬＥＤ灯具１６の上方に位置するように枠１５に着脱自在に取り付けられ、かつ反射面が下方を向いた板状反射部材１７を備えている。
ＬＥＤ灯具１６は、左右両端部が、水平枠１５の左右両枠部材１８の灯具受け部２１の切り欠き２３内に嵌め入れられ、水平枠１５に着脱自在に取り付けられた押さえ部材２５によって固定されている。そして、ＬＥＤ灯具１６の左右両端部が、弾性部材２９を介して押さえ部材２５により上方からネジ留めされることによって、ＬＥＤ灯具１６が固定されている。【０００５】
このように、特許文献１、特許文献２ともに、栽培ラックという構造物が組まれ、その栽培ラックに対して、ＬＥＤ照明具の端部を所定の位置に載置したあとねじ止め、リベット止めなどにより固定することにより、所定位置へ配設し、安定した状態を作り上げている。【０００６】
【特許文献１】特開２０１３−０１７３９７号公報  特開２０１５−００６１６５号公報
【発明の開示】
【発明が解決しようとする課題】
【０００７】
従来のＬＥＤ照明装置における問題点の１つは、１本１本のＬＥＤ照明具の栽培ラックにおける電気工事作業のコストと負荷にある。
人工栽培装置のユニットにおいて配設されるＬＥＤ照明具の本数が多量であり、大規模な植物工場などであれば、その人工栽培装置のユニットが多数設置されており、１本１本のＬＥＤ照明具に対する電気配線工事量が膨大となる。ひいては人工栽培装置ユニットの設置コスト、植物工場の建設コストが高くなるという問題が生じる。この問題は、将来、植物工場における人工栽培装置の普及には大きな足かせになってしまうと懸念されている。【０００８】
特許文献１に開示された植物栽培装置であれば、垂直枠７の垂直支柱８の側面に多数設けた支持部６にＬＥＤ照明具を取り付ける必要がある。同公報の００２８段にあるように、ＬＥＤ照明具５は支持部６の受け部３２に対してねじ止め、リベット止めなどにより垂直支柱８に固定した上で電気配線工事を行う必要があり、１本１本のＬＥＤ照明具５について相当な作業員の取り付け工事、電気配線工事を必要とし、極めて多数本のＬＥＤ照明具５を複雑に取り付けて電気配線工事を行う作業は、工事期間、コストとも膨大になってしまう。
特許文献１の植物栽培装置において、かりに、ＬＥＤ照明具５を支持部６の受け部３２に対してねじ止め、リベット止めなどしない場合でも、長大な栽培ラックに対して１本１本のＬＥＤ照明具５を手作業で載置し、電気配線工事を行う必要がある。【０００９】
特許文献２に開示された植物栽培装置でも、図１６に示すように、栽培ラックに直管型ＬＥＤ灯具１６の配置にあたり、直管型ＬＥＤ灯具１６の左右両端部を水平枠１５の左右両枠部材１８の灯具受け部２１の切り欠き２３内に嵌め入れ、さらに、ＬＥＤ灯具１６の左右両端部を、弾性部材２９を介して押さえ部材２５により上方からネジ留めして直管型ＬＥＤ灯具１６を固定し、電気配線工事を行う必要がある。やはり、１本１本のＬＥＤ照明具５について相当な作業員の作業量を必要とし、極めて多数本のＬＥＤ照明具５を複雑に取り付けて電気配線工事を行う作業は、期間、コストとも膨大になってしまう。
特許文献２でも同様に、直管型ＬＥＤ灯具１６を押さえ部材２５により上方からネジ留め、リベット止めなどしない場合でも、長大な栽培ラックに対して１本１本のＬＥＤ照明具５を手作業で慎重に載置した後、複雑な電気工事を行う必要がある。【００１０】
上記問題点に鑑み、本発明は、従来のようにラックなどの構造物に、ＬＥＤ照明具を所定箇所における配設作業および電気配線作業を低減し、人工栽培植物棚の設置作業、コストを低減せしめた人工栽培装置を提供することを目的とする。
【課題を解決するための手段】
【００１１】
上記目的を達成するため、本発明の人工栽培装置は、人工栽培する植物を収納する人工栽培植物棚と、第１の接続部と、第２の接続部と、前記第１の接続部および前記第２の接続部の間にわたされた電子基板と、前記電子基板に多数のＬＥＤチップを取り付けたＬＥＤライン光源と、前記第１の接続部と前記第２の接続部の間を渡すように電源電圧を供給する渡り電圧供給線と、前記渡り電圧供給線から前記ＬＥＤライン光源への電力供給を行う接続線または電圧制御回路を備えたＬＥＤ照明具と、前記人工栽培植物棚に対向するように前記ＬＥＤ照明具を支持する支持体を備え、前記人工栽培植物棚に複数本の前記ＬＥＤ照明具を配列し、前記渡り電圧供給線が、配列した複数本の前記ＬＥＤ照明具の前記第１の接続部と前記第２の接続部を異種同士または同種同士を通電可能に接続できる接続構造を備えたことを特徴とする人工栽培装置である。
上記構成により、人工栽培植物棚に対するＬＥＤ照明具の配設作業において、支持体を介してＬＥＤ照明具を所定位置にて支持したあと、電気配線は、渡り電圧供給線を介して簡単に接続することができる。
従来はソケットに接続し、ソケット内部から外部の商用電源まで人工栽培装置内外の配線工事が必要であったが、本発明の人工栽培装置では１本１本のＬＥＤ照明具に対する従来のソケット類は不要であり、接続部同士を直接接続することにより複雑な電気配線工事が不要となる。【００１２】
ここで、ＬＥＤ照明具同士の配列方向と、渡り電圧供給線の構造には２通りあり得る。
第１の構造パターンは、ＬＥＤ照明具同士を直列に接続するタイプのものである。ＬＥＤ照明具が直管型のＬＥＤ照明具であれば、ＬＥＤ照明具同士の接続方向はＬＥＤ照明具の長さ方向となる。渡り電圧供給線は第１の接続部を介して供給された電力を同じＬＥＤ照明具の内部を通って対向する第２の接続部まで受け渡すとともに当該第２の接続部を介して隣接するＬＥＤ照明具の第１の接続部まで受け渡す第１の渡り電圧供給線である。
第１の構造パターンは、ＬＥＤ照明具同士を直列に接続するものであり、隣接するＬＥＤ照明具の第２の接続部に対して後続のＬＥＤ照明具の第１の接続部を差し込んで接続してゆくことで、複数個のＬＥＤ照明具を直列に順々に接続する構造となる。電気的には、ＬＥＤ照明具の一端の第１の接続部から内部を通貫する第１の渡り電圧供給線を通って他端の第２の接続部に至り、当該第２の接続部からさらに隣接する第１の接続部に接続されてゆく。
例えば、直列に接続された第１の接続部と第２の接続部同士の接続構造としては、一方が金属製の差し込みピンが設けられた口金、他方が金属製のピンホールが設けられた口金であり、第１の接続部と第２の接続部同士の嵌合により接続にかかる箇所において通電可能に接続される構造がある。なお、両者の嵌合部分には防水性を備えた構造とすることが好ましい。
また、例えば、直列に接続された第１の接続部と第２の接続部の間に間挿される間挿体を用いる構造もあり得る。間挿体の形状としては例えば一方の面が第１の接続部と嵌合し合う形状であり、他方の面が第２の接続部と嵌合し合う形状であり、第１の接続部と第２の接続部の間を通電可能に接続することができる形状とする。【００１３】
本発明の上記第１の構造パターンでは、上記のように、外部の電圧供給線−（第１段のＬＥＤ照明具の第１の接続部−第１の渡り電圧供給線−第２の接続部）−（次段のＬＥＤ照明具の第１の接続部−第１の渡り電圧供給線−第２の接続部）−・・・というように一気通貫の電圧供給路を確保せしめ、各々のＬＥＤ照明具の内部において、当該第１の渡り電圧供給線から接続線または電圧制御回路を介して並列に電圧を引き込み、各々のＬＥＤライン光源に供給する。つまり、電圧供給線がはしごの支柱と見立てると各々のＬＥＤ照明具ははしごの踏桟となるようなはしご型接続になっている。【００１４】
ここで、接続線としては、電子部品が特になく、引き込み線の配線のみのタイプも含まれ、また、コンデンサなど少数の電子部品が組み込まれたタイプもあり得る。本発明の人工栽培装置の場合、ＬＥＤ素子にダメージを与えない程度の多少の電圧変動は実運用上問題にならない場合も多く、そのケースでは単なる引き込み線のみで良い。【００１５】
電圧制御回路としては、電圧安定化機能を備えた電子回路が含まれ得る。なお、外部の商用電源が不安定な場合、ＬＥＤ照明具の１つ１つに電圧制御回路にて安定化機能を設けても良いが、人工栽培装置の建屋への外部商用電源の引き込み箇所において、まとめて電圧安定化装置を設けることでも対処できる場合がある。【００１６】
支持体としてはＬＥＤ照明具の外表面に当接する窪み形状または外表面に少なくとも２点以上当接する窪み形状を備えたものであり、この第１の構造パターンでは、人工栽培植物棚の長さ方向の軸に対して窪み形状の断面が垂直に設けられたもので良い。つまり、人工栽培植物棚の長さ方向にＬＥＤ照明具を直列に接続していくことができる。【００１７】
なお、一般のＬＥＤ照明具であれば、外部のソケットに取り付けられた第１の口金と第２の口金の間に、例えば２００Vが供給され、内部のＬＥＤライン光源に９０個の素子があれば、理論的に各々の素子に３V程度の電圧が供給される。
一方、本発明の第１の構造パターンでは、先行するＬＥＤ照明具の後尾にある第２の接続部に対して、後続のＬＥＤ照明具の先頭にある第１の接続部を差し込んで順々に接続したものであるので、従来のように、１つ１つの口金が外部のソケットから電圧が供給される仕組みにはなっていない点において異なっている。【００１８】
商標電源の電圧は契約電力の種類、国、地域によって異なるが、ＬＥＤライン光源に供給される電圧とＬＥＤ素子数によって設計すれば良い。
ＬＥＤライン光源に供給される外部から供給される電源電圧について述べる。電源電圧は、本発明では特に限定はされず多様な電源が適用できる。定電圧源、定電流源でも良い。一般には定電圧源の方が回路構成が簡単な場合が多い。定電圧源とする場合、外部から商用電源をトランスで所定電圧（例えば２００Ｖ）に変圧したものを供給するものでも良い。なお、スイッチング電源を適用して均質な電圧を得るものでも良いが回路構成が複雑になる。本発明は人工栽培装置であるので、小さな電圧の変動などは問題にならないケースが多く、商用電源のトランス調整程度で十分な場合も多い。また、本件特許出願人が先行して出願しているＰＣＴ／ＪＰ２０１８／０１３２０６号のような電圧源でも適用可能である。【００１９】
本発明の第２の構造パターンは、ＬＥＤ照明具同士を並列に接続するものであり、第２の渡り電圧供給線により、隣接するＬＥＤ照明具の第１の接続部同士を接続し、また、第２の接続部同士を接続し、複数本のＬＥＤ照明具を並列に接続することにより、各々のＬＥＤライン光源がはしご型に接続された構成となる。例えば、各々のＬＥＤライン光源が第２の渡り電圧供給線に対して接続線または電圧制御回路を介して並列に接続された構成である。
例えば、支持体としてはＬＥＤ照明具の外表面に当接する窪み形状または外表面に少なくとも２点以上当接する窪み形状を備えたものであり、人工栽培植物棚の長さ方向の軸に対して窪み形状の断面が水平方向に複数個平行して設けられたものとすることができる。【００２０】
本発明の第２の構造パターンの第２の渡り電圧供給線に供給される電圧が２００Ｖであれば、各々のＬＥＤ照明具が第２の渡り電圧供給線に対して並列に接続された構成であるので、各々のＬＥＤ照明具内部のＬＥＤライン光源には２００Ｖが供給され、各々のＬＥＤ素子には３Ｖ程度の電圧が印加されるよう設計すれば良い。【００２１】
人工栽培装置としては、人工栽培植物棚を多段構成とすることができる。工場の建屋の空間の有効利用のためには、床面積あたりの人工栽培植物棚の設置面積を増大させる必要があるが、人工栽培装置では人工照明を用いるので多段構成が可能となる。
【発明の効果】
【００２２】
本発明の人工栽培装置によれば、人工栽培植物棚に対するＬＥＤ照明具の配設作業において、支持体を介してＬＥＤ照明具を所定位置にて支持したあと、電気配線は、渡り電圧供給線を介して簡単に接続することができ、ＬＥＤ照明具を所定箇所における配設作業および電気配線作業を低減し、人工栽培植物棚の設置作業、コストを低減せしめた人工栽培装置を提供することができる。
【図面の簡単な説明】
【００２３】
【図１】人工栽培装置１００、特に、人工栽培植物棚１１０、ＬＥＤ照明具１２０の配置関係を示す図である。
【図２】実施例１にかかるＬＥＤ照明具１２０の内部構造の構成例である。
【図３】実施例１にかかる第１の口金１２２と第２の口金１２３の接続構造を簡単に示す図（その１）である。
【図４】実施例１にかかる第１の口金１２２と第２の口金１２３の接続構造を簡単に示す図（その２）である。
【図５】支持体１４０の形状例の断面形状の例を示す図（その１）である。
【図６】支持体１４０の形状例の断面形状の例を示す図（その１）である。
【図７】第１の取り付け方法として、ＬＥＤ照明具１２０を、側方から順に支持体１４０に投入してＬＥＤ照明具１２０を順々に接続してゆく様子を示す図である。
【図８】第２の取り付け方法として、ＬＥＤ照明具１２０を、その長さ方向から順に支持体１４０に通し入れて配設してゆく様子を示す図である。
【図９】実施例１にかかるＬＥＤ照明具１２０の電気的接続構成を簡単に示す図である。
【図１０】実施例２にかかる人工栽培装置１００ａ、特に、人工栽培植物棚１１０、ＬＥＤ照明具１２０ａの配置関係を示す図である。
【図１１】実施例２にかかるＬＥＤ照明具１２０ａの内部構造の構成例である。
【図１２】実施例２のＬＥＤ照明具１２０ａを順に支持体１４０に載置または係止し、配設してゆく様子を示す図である。
【図１３】実施例２の人工栽培装置１００ａにおける電気的配線を行う様子を示す図である。
【図１４】実施例２にかかるＬＥＤ照明具１２０ａの電気的接続構成を示す図である。
【図１５】従来の特許文献１（特開２０１３−１７３９７号公報）に開示された植物栽培装置を示す図である。
【図１６】従来の特許文献２（特開２０１５−００６１６２号公報）に開示された植物栽培装置を示す図である。
【発明を実施するための最良の形態】
【００２４】
以下、図面を参照しつつ、本発明の人工栽培装置の実施例を説明する。ただし、本発明の範囲は以下の実施例に示した具体的な用途、形状、個数などには限定されないことは言うまでもない。
実施例１として、ＬＥＤ照明具同士を直列に接続するタイプのものであり、ＬＥＤ照明具同士の接続方向が前記ＬＥＤ照明具の長さ方向であり、渡り電圧供給線が、第１の接続部を介して供給された電力を同じＬＥＤ照明具の内部を通って対向する第２の接続部まで受け渡すとともに当該第２の接続部を介して隣接するＬＥＤ照明具の前記第１の接続部まで受け渡すものである。このＬＥＤ照明具同士を直列に接続するタイプにおける渡り電圧供給線の構造は、以下の説明では第１の構造パターンと呼ぶ。
実施例２として、実施例１とは異なるバリエーションであり、ＬＥＤ照明具同士を並列に接続するタイプのものである。渡り電圧供給線は隣接し合うＬＥＤ照明具の第１の接続部同士を接続し、また、隣接し合う第２の接続部同士を接続し、供給された電力を隣接するＬＥＤ照明具に受け渡すものである。このＬＥＤ照明具同士を並列に接続するタイプにおける渡り電圧供給線の構造は、以下の説明では第２の構造パターンと呼ぶ。
【実施例１】
【００２５】
実施例１にかかる本発明の人工栽培装置１００の例を示す。
実施例１にかかる本発明の人工栽培装置１００の構成例は、ＬＥＤ照明具同士を直列に接続する第１の構造パターンにかかるものであり、ＬＥＤ照明具同士の接続方向が前記ＬＥＤ照明具の長さ方向であり、渡り電圧供給線が、第１の接続部を介して供給された電力を同じＬＥＤ照明具の内部を通って対向する第２の接続部まで受け渡すとともに当該第２の接続部を介して隣接するＬＥＤ照明具の前記第１の接続部まで受け渡すものである。
本実施例１の構成例にかかる人工栽培装置１００は、人工栽培植物棚１１０、ＬＥＤ照明具１２０、支持体１４０を備えた構成となっている。
図１は、人工栽培装置１００、特に、人工栽培植物棚１１０、ＬＥＤ照明具１２０の配置関係を示す図である。図１（ａ）は平面図、図１（ｂ）は正面図、図１（ｃ）側面図を示している。なお、ＬＥＤ照明具１２０の細かい構造については図示していない。また、図１では支持体１４０については図示を省略している。【００２６】
人工栽培植物棚１１０は、人工栽培する植物を収納する棚である。この構成例では、フレーム部分（縦フレーム１１１、横フレーム１１２、水平板フレーム１１３）と容器部分１１４がある。棚の構造、形状、大きさ、長さ、幅などは特に限定されず、図１のものは一例に過ぎない。この構成例では、一例として５段構成となっている。
人工栽培植物棚１１０の基本構造は、縦方向の縦フレーム１１１と横方向の横フレーム１１２により縦横のスケルトン構造が組まれ、各段に水平板フレーム１１３が設けられている。多段に容器部分１１４を並べて支持できる構造であれば人工栽培植物棚１１０の構造として採用することができる。ここでは詳しい説明や図示などは省略する。
なお、この例では、水平板フレーム１１３は、容器部分１１４を支持する役割と、後述するように、ＬＥＤ照明具１２０、支持体１４０を支持する役割を果たすものとなっている。両者の役割を兼用せず、別々に構造物を設けることでも良い。【００２７】
次に、ＬＥＤ照明具１２０について説明する。
ＬＥＤ照明具１２０は特に限定されず、ＬＥＤ光源を点灯でき、人工栽培の植物に人工光を供給できるものであればよい。例えば、従来の蛍光管の外形を模した直管型ＬＥＤ照明具、カバーや管状の構造物を除いて電子基板を含むボード状の基板の上にＬＥＤ素子が設けられている照明具、シート状の素材に印刷された電子回路シートの上にＬＥＤ素子が設けられている照明具など多様なＬＥＤ照明具が適用できる。
この実施例では直管型ＬＥＤ照明具１２０を例として説明する。つまり、直管部材を備え、第１の接続部および第２の接続部が口金形状となっている例とする。
図２は、実施例１にかかるＬＥＤ照明具１２０の内部構造の構成例である。
図２に示すように、ＬＥＤ照明具１２０は、直管部材１２１、第１の接続部としての第１の口金１２２、第２の接続部としての第２の口金１２３、電子基板１２４、ＬＥＤライン光源１２５、第１の渡り電圧供給線１２６−１、接続線１２７を備えたものである。図２では接続線１２７など一部の構成の図示は省略しているが、図９において簡単に図示している。また、図２（ａ）において電子基板１２４の背面にある第１の渡り電圧供給線１２６−１は位置関係が分かりやすいように電子基板１２４を透過して図示している。【００２８】
直管部材１２１は、従来の蛍光照明灯に代替するパイプ状の部材であり、第１の口金１２２および第２の口金１２３の間にわたされた直管部材である。少なくとも照明面が透明プラスチックやガラスなどのパイプであり、一般的には円筒形となっている。
直管部材１２１の素材は、透明または半透明のポリカーボネート樹脂、アクリル樹脂、メタクリル樹脂等の透明樹脂素材などであり、内部空間を備え、円筒パイプ状に形成されている。両端には第１の口金１２２および第２の口金１２３が設けられている。この構成例では、直管部材１２１の両端に取り付けられた第１の口金１２２および第２の口金１２３の間のＬＥＤ照明具１２０の軸方向の長さは、既存の蛍光灯と同じ長さとなっている。
なお、この実施例１では直管型ＬＥＤ照明具を例とするためこのような直管部材１２１が設けられているが、ＬＥＤ照明具１２０としては直管部材１２１がない構造も可能である。【００２９】
第１の接続部である第１の口金１２２および第２の接続部である第２の口金１２３は、この構成例では直管部材１２１の両端部に設けられた部材である。ここでは、左端に第１の口金１２２、右端に第２の口金１２３が設けられている。
第１の口金１２２と第２の口金１２３は、相互に機械的に接続でき、電気的にも通電可能に接続される接続構造を備えている。
図２に示した例では、第１の口金１２２に金属製の差し込みピン１２２１が設けられ、第２の口金１２３に金属製のピンホール１２３１が設けられ、両者が嵌合するサイズと形状（径、深さ）になっている。
第１の口金１２２の２本の差し込みピン１２２１、第２の口金１２３の２つの金属製のピンホール１２３１は従来の蛍光灯の口金の差し込みピンと従来の口金の金属製のピンホールと同様のサイズや形状でも良い。
また、第１の口金１２２と第２の口金１２３同士は嵌合することで機械的にも接続される。さらにその外側に防護カバーを設けて、例えば両者の接合部に螺合式のネジ構造を設けておき、螺合により簡単かつ強固に接続できる。人工栽培装置１００の環境には水分や湿気も多いため、外側にカバーを設けることにより防水性を高めることができる。【００３０】
図３および図４は、実施例１にかかる第１の口金１２２と第２の口金１２３の接続構造を簡単に示す図である。
図３に示した例は、第１の口金１２２と第２の口金１２３を直に当接させて接続する構造例である。第１の口金１２２には金属製の差し込みピン１２２１が設けられ、第２の口金１２３には金属製のピンホール１２３１が設けられ、両者が嵌合し合うことにより、電気的に通電可能に接続され、かつ、機械的にも接続され、両者が相互に姿勢が安定するともに電気的に通電される構造となっている。
図４に示した例は、第１の口金１２２と第２の口金１２３の間に間挿体１２８を間挿し、第１の口金１２２と間挿体１２８を当接させて接続し、間挿体１２８と第２の口金１２３を当接させて接続する構造例である。
図４の例では、図４（ａ）に示すように、第１の口金１２２と第２の口金１２３ともに同じ形状の例であり、第１の口金１２２には金属製の差し込みピン１２２１が設けられ、第２の口金１２３にも金属製の差し込みピン１２３２が設けられている。間挿体１２８は第１の口金１２２と第２の口金１２３の間に間挿されるものであり、図４（ｂ）に示すように、間挿体１２８の一方の面には第１の口金１２２の金属製の差し込みピン１２２１と嵌合し合う金属製のピンホール１２８１が設けられ、他方の面には第２の口金１２３の金属製の差し込みピン１２３２と嵌合し合う金属製のピンホール１２８２が設けられた形状となっており、第１の口金１２２と第２の口金１２３の間を通電可能に接続するものとなっている。
図４（ｃ）から図４（ｄ）に示すように、第１の口金１２２と第２の口金１２３の間に間挿体１２８を挟み込み、両方から篏合することにより、第１の口金１２２と第２の口金１２３が機械的にも電気的にも接続される構造例となっている。
この例では上記のように、第１の接続部を第１の口金１２２とし、第２の接続部を第２の口金１２３として説明したが、口金形状ではなく両者が通電可能に嵌合できるものであれば多様な形状があり得るし、また、間挿体１２８が間挿される場合は、間挿体１２８の形状と第１の接続部の形状、間挿体１２８の形状と第２の接続部の形状が通電可能に嵌合し合うものであれば良い。【００３１】
電子基板１２４は、ＬＥＤライン光源１２５および電圧制御回路が実装される基板である。この例では、図２に示すように、電子基板１２４は線状または帯状で長尺に形成され、直管部材１２１の全長にわたって設けられている。【００３２】
ＬＥＤライン光源１２５は、直管部材１２１内の電子基板１２４に沿って多数のＬＥＤチップがライン状に並べて実装された多数のＬＥＤ（白色発光ダイオード）素子である。図２などに示すように、この構成例では、ＬＥＤライン光源１２５は直管部材１２１の正面（表面）側に３０個のＬＥＤ１０が正面に光を照射するように実装されている。したがって、ＬＥＤライン光源１２５の正面側（表面側）が光照射面となる。【００３３】
ＬＥＤ素子は、表面に白色ＬＥＤ素子の発光面、裏面に電極面が設けられたチップである。この例ではＬＥＤ素子は表面実装型（ＳＭＤ型）ＬＥＤ素子とする。視覚的には真白色に見える光を発光するものとする。
このＬＥＤ素子が直線状に並べられ、ＬＥＤライン光源１２５が形成されている。例えば、３０個のＬＥＤ３０が正面に光を照射するように実装される。
ＬＥＤ素子を制御する制御回路の詳しい説明は省略するが、外部から供給される電圧を受け、ＬＥＤライン光源１２５に必要な電力を供給するように制御するものである。【００３４】
実施例１にかかる第１の渡り電圧供給線１２６−１は、ＬＥＤ照明具１２０の両端にある第１の口金１２２と第２の口金１２３との間を通電する金属線である。この例では電子基板１２４の裏面側に長さ方向に一気通貫に金属線が設けられており、スルーホールを介して電子基板１２４の表面側のＬＥＤライン光源１２５に電力を供給できる構造となっている。実施例１の構成例では、この第１の渡り電圧供給線１２６−１を設けることにより、ＬＥＤ照明具１２０の第１の口金１２２から第２の口金１２３まで通電するものとなる。【００３５】
このように、実施例１にかかる構成のＬＥＤ照明具１２０を複数本直列に接続することにより、外部の電圧供給線−第１段のＬＥＤ照明具１２０の第１の口金１２２−第１の渡り電圧供給線１２６−１−第２の口金１２３−第２段のＬＥＤ照明具の第１の口金１２２−第１の渡り電圧供給線１２６−１−第２の口金１２３−・・・というように一気通貫の電圧供給路が確保され、各々のＬＥＤ照明具１２０の内部において、当該第１の渡り電圧供給線１２６−１から接続線または電圧制御回路１２７を介して並列に電圧を引き込み、各々の各段のＬＥＤライン光源１２５に供給される。つまり、電圧供給線をはしごの支柱と見立てると各々のＬＥＤ照明具ははしごの踏桟となるようなはしご型になっている。
例えば、外部の電圧供給線から２００Vの供給を受けると、直列に接続されている各々のＬＥＤ照明具１２０内部のＬＥＤライン光源１２５に対して２００Vが印加され、各々のＬＥＤ素子には３V程度の電圧が供給される。契約電力の違いや、国や地域で商用電圧が異なる場合、供給される電圧とＬＥＤライン光源１２５のＬＥＤ数などを勘案して設計すれば良い。【００３６】
接続線または電圧制御回路１２７は、第１の渡り電圧供給線１２６−１からＬＥＤライン光源１２５への電力供給を制御する回路である。もっとも簡単な構成は第１の渡り電圧供給線１２６−１からＬＥＤライン光源１２５への電力引き込みの接続線である。電圧変動を防止するコンデンサを設けたり電圧安定化回路などを設けたりすることも可能であるが、外部から第１の渡り電圧供給線１２６−１に与えられる電圧が人工栽培装置１００としてのＬＥＤライン光源１２５に許容される範囲のものであれば、それ以上の精度の電圧制御は求められないので電力引き込み線で良い場合も多いと想定される。この例では、接続線１２７として、スルーホールを介して電子基板１２４の表面側のＬＥＤライン光源１２５に接続されている。【００３７】
次に、支持体１４０を説明する。支持体１４０は、ＬＥＤ照明具１２０を支持する部材である。
支持体１４０の形状、構造は限定されないが、ＬＥＤ照明具１２０の外表面の一部に沿う窪み形状または外表面に少なくとも２点以上当接する窪み形状を備え、ＬＥＤ照明具１２０を安定的に載置または係止するものであれば良い。この例では、ＬＥＤ照明具１２０が直管部材１２１を伴う直管型ＬＥＤ照明具であるので、支持体１４０の形状は、ＬＥＤ照明具１２０の直管部材１２１の外径に対応する形状の円弧状の窪み形状１４１、または、Ｖ字型状の窪み形状１４２であってＬＥＤ照明具１２０の外面を２点で支持するものである。直管部材１２１が円筒とは異なる形状の場合や直管部材１２１自体が設けられていない構造の場合などであれば、支持体１４０は、直管型ＬＥＤ照明具１２０の外形のいずれかの形状の一部に沿って安定的に支持できる形状であれば良い。【００３８】
図５および図６は、支持体１４０の形状例の断面形状の例を示す図である。多段構成の各々の人工栽培植物棚１１０の水平板フレーム１１３または容器部分１１４の底面に取り付けられており、ＬＥＤ照明具１２０を支持するものとなっている。
図５は、ＬＥＤ照明具１２０の外径に対応する形状の円弧状の窪み形状１４１を持つタイプのものである。支持体１４０は多段構成の各々の人工栽培植物棚１１０の底面から垂下されており、その内面に円弧状の窪み形状１４１が設けられている。この円弧状の窪み形状１４１の内径は、ＬＥＤ照明具１２０の外径に対応しており、ＬＥＤ照明具１２０を載置、係止すればＬＥＤ照明具１２０を安定的に支持できる。
図６は、Ｖ字型状の窪み形状１４２であって、ＬＥＤ照明具１２０の外面を２点で支持するタイプのものである。支持体１４０は多段構成の各々の人工栽培植物棚１１０の底面から垂下されており、その内面がＶ字状の窪み形状１４２が設けられている。このＶ字状の窪み形状１４２は、ＬＥＤ照明具１２０を載置可能な大きさと角度となっており、ＬＥＤ照明具１２０を載置、係止すればＬＥＤ照明具１２０を安定的に支持できる。【００３９】
支持体１４０の配設方向、長さ、個数には様々なバリエーションがあり得る。
支持体１４０の配設方向については、この例では、ＬＥＤ照明具１２０同士を直列に接続する第１の構造パターンにかかるものであるので、人工栽培植物棚１１０の長さ方向の軸に対して支持体１４０の窪み形状１４１または窪み形状１４２の断面が垂直に設けられている。この配設方向であれば、ＬＥＤ照明具１２０が支持体１４０の窪み形状１４１または窪み形状１４２に収まれば、ＬＥＤ照明具１２０の長さ方向が人工栽培植物棚１１０の長さ方向と一致する。
なお、本実施例１は、ＬＥＤ照明具１２０同士を電気的に直列に接続されていれば良く、機械的な配列としては、かならずしもＬＥＤ照明具１２０同士が一直線に並んでいる必要はなく、ジグザグ状屈曲していたり相互に相対的に角度が付いていたりしても良い。【００４０】
支持体１４０の長さとしては、短い場合は、ＬＥＤ照明具１２０の長さに比べて短く、例えば、１つのＬＥＤ照明具１２０に対して、数個の割合で支持体１４０が位置するように距離を開けて設けるものがある。図２に示した例では、１本のＬＥＤ照明具１２０に対して、３つの支持体１４０が間隔を空けて配置されている例となっている。
支持体１４０の長さが長い場合は、多段構成の各々の人工栽培植物棚１１０に対して１つのみ取り付けられており、人工栽培植物棚１１０の長さに相当する長さ、つまり、人工栽培植物棚１１０の全長にわたって支持体１４０が設けられている。ただしこの場合、配設するＬＥＤ照明具１２０の下面全体に支持体１４０が存在するため、支持体１４０が不透明なものであればＬＥＤ照明具１２０の照明光を遮ってしまうため、支持体１４０は透光性のある素材とする必要となる。【００４１】
次に、支持体１４０へのＬＥＤ照明具１２０の取り付け方法について述べる。
支持体１４０の配設方向とＬＥＤ照明具１２０の取り付け方法には少なくとも２通りのパターンがある。
第１の取り付け方法は、各々の支持体１４０の側方からＬＥＤ照明具１２０を取り付ける方法である。
支持体１４０は図５および図６に示したように、側方の一部が解放された解放部を備えて一種のフック状になっており、側方からＬＥＤ照明具１２０を投入することができる。そこで、第１の取り付け方法は、ＬＥＤ照明具１２０を、支持体１４０の側方から順に投入してＬＥＤ照明具１２０を順々に接続してゆく取り付け方法である。
図７に示すように、ＬＥＤ照明具１２０を支持体１４０の側方から入れて載置、係止しつつ、先行しているＬＥＤ照明具１２０の後端の第２の口金１２３に対して、後続する当段の先端の第１の口金１２２を図３に示すように嵌合させて接続し、ＬＥＤ照明具１２０をその長さ方向に直列につないでゆけば良い。その結果、ＬＥＤ照明具１２０を円弧状の窪み１４１またはＶ字状の窪み１４２の所定位置に収めることができる。【００４２】
第２の取り付け方法は、ＬＥＤ照明具１２０を長さ方向から支持体１４０の正面方向から押し込んでゆき、ＬＥＤ照明具１２０を支持体１４０内を滑らせて次々と支持体１４０をくぐらせて取り付ける方法である。
図８は、第２の取り付け方法として、ＬＥＤ照明具１２０を、その長さ方向から順に支持体１４０に通し入れて支持させつつ押し込んで移動させ、次々と配設してゆく様子を示す図である。
図８に示すように、支持体１４０の正面方向（図８中、左端から右方向）からＬＥＤ照明具１２０を次々と接続しながら押し入れてゆけば、支持体１４０の内部を摺動して通過でき、最終的に所定位置まで達すれば円弧状の窪み形状１４１またはＶ字状の窪み形状１４２に収めることができる。
ここで、支持体１４０へのＬＥＤ照明具１２０の取り付けにおいて、隣接するＬＥＤ照明具１２０同士の間で、第１の口金１２２と第２の口金１２３を接続することで取り付け状態が安定してゆく。【００４３】
図８に示すように、ＬＥＤ照明具１２０の移動方向がＬＥＤ照明具１２０の長さ方向となっていることが分かる。複数本のＬＥＤ照明具１２０が直列に接続されて一体化したＬＥＤ照明具１２０群が各々の支持体１４０をまたがるように押し込まれて移動することで配設される。【００４４】
図８に示すように、取り付け作業時に作業員が、先行するＬＥＤ照明具１２０の後端にある第２に口金１２３に対して後続の第１の口金１２２を嵌合させて接続して一体化し、まとめて一群として押し込んでゆき、図３に示すように、先に押し込んでいるＬＥＤ照明具１２０の第１の口金１２２の金属製の差し込みピン１２２１に対して、次のＬＥＤ照明具１２０の第２の口金１２３の金属製のピンホール１２３１に差し込みつつ、第１の口金１２２と第２の口金１２３を嵌合させて機械的にも接続した上で、押し込んで行けばよい。
このような簡単な取り付け作業のみで、所定本数のＬＥＤ照明具１２０について、所定位置への取り付け工事、さらには電気配線工事まで完了することができる。【００４５】
なお、先行しているＬＥＤ照明具１２０が脱落しないように人工栽培棚１１０の端部にストッパーを設けることも可能である。一端からＬＥＤ照明具１２０を押し込んでいく際に、不用意に他端まで移動して他端から脱落することを防止できる。【００４６】
図９は、実施例１にかかるＬＥＤ照明具１２０の電気的接続構成を簡単に示す図である。図９（ａ）に示した取り付け例に示すように、機械的には直列に隣接し合う第１の口金１２２と第２の口金１２３同士が相互に接続され、ＬＥＤ照明具１２０内部の渡り電圧供給線により通電すると、図９（ｂ）に示すように電気的にも接続される。
図９（ａ）に示すように、第１の口金１２２と第２の口金１２３との接続によってガイドレールに配置した複数のＬＥＤ照明具１２０が直列に並ぶが、図９（ｂ）に示すように、第１の渡り電圧供給線１２６−１も直列に接続され、電圧が第１の渡り電圧供給線１２６−１から引き込み線である接続線１２７により並列に電圧を引き込まれＬＥＤライン光源１２５に通電した状態とすることができる。【００４７】
具体例としては、第１の口金１２２と第２の口金１２３同士の電気的な接続構造が、図３に示すように、一方が金属製の差し込みピン１２２１、他方が金属製のピンホール１２３１であり、両者の嵌合により接続にかかる箇所において通電可能に接続され、外部からの供給電圧は内部の第１の渡り電圧供給線１２６−１を通って次段のＬＥＤ照明具１２０に順々に渡され、各々のＬＥＤ照明具１２０に均等に２００Vが印加され、内部のＬＥＤライン光源１２５に引き込まれ、各々のＬＥＤ素子に３Ｖ程度の電圧が印加される。【００４８】
ここで、外部から第１の渡り電圧供給線１２６−１に供給される電力の電源は、本発明では特に限定はされず多様な電源が適用できる。定電圧源、定電流源でも良い。一般には定電圧源の方が回路構成が簡単な場合が多い。定電圧源とする場合、外部から商用電源を所定電圧（例えば２００Ｖ）に調整したものを供給するものでも良い。なお、スイッチング電源を適用して均質な電圧を得るものでも良いが回路構成が複雑になる。本発明は人工栽培装置１００であるので、小さな電圧の変動などは問題にならないケースが多く、外部の商用電源が２００Ｖであればそのまま使用でき、外部の商用電源が１００Ｖの場合はトランスの昇圧調整程度で２００Ｖとすれば十分な場合も多い。また、本発明者が先行して出願しているＰＣＴ／ＪＰ２０１８／０１３２０６号のような電圧源でも適用可能である。
【実施例２】
【００４９】
実施例２は、実施例１とは異なるバリエーションであり、ＬＥＤ照明具同士を並列に接続する第２の構造パターンのものである。ＬＥＤ照明具同士の接続方向がその長さ方向と直交する方向、つまり平行に並べられて接続されており、渡り電圧供給線は隣接し合うＬＥＤ照明具の第１の口金１２２同士を接続し、また、隣接し合う第２の口金１２３同士を接続することにより並列接続し、供給された電力を隣接するＬＥＤ照明具１２０に受け渡すものである。
実施例２にかかる本発明の人工栽培装置１００ａの例を示す。
実施例２の構成例にかかる人工栽培装置１００ａは、実施例１と同様、人工栽培植物棚１１０、ＬＥＤ照明具１２０ａ、支持体１４０を備えた構成となっている。
実施例１に示した構成と同様のものについてはここでの説明は適宜省略する。【００５０】
図１０は、実施例２にかかる人工栽培装置１００ａ、特に、人工栽培植物棚１１０、ＬＥＤ照明具１２０ａの配置関係を示す図である。
図１０（ａ）は平面図、図１０（ｂ）は正面図、図１０（ｃ）側面図を示している。なお、ＬＥＤ照明具１２０ａの細かい構造については図示していない。また、図１０では支持体１４０については図示を省略している。また、図１０（ａ）において位置関係が分かりやすいように水平フレームの下側にあるＬＥＤ照明具１２０ａを透過して図示している。
人工栽培植物棚１１０の構成は実施例１と同様で良くここでの説明は省略する。【００５１】
実施例２では、ＬＥＤ照明具１２０ａ同士が並列に接続されている。ＬＥＤ照明具１２０ａ同士の配列は、かならずしも平行である必要はないが、この実施例２では、例えば、直管型ＬＥＤ照明具であり、人工栽培植物棚１１０の長さ方向に対してＬＥＤ照明具１２０ａの長さ方向が垂直方向に配置され、相互に平行に配列されている例として説明する。つまり、この実施例２では、ＬＥＤ照明具１２０ａは実施例１に比べて９０度ずれて配設されており、支持体１４０と直交するようにＬＥＤ照明具１２０ａが取り付けられており、ＬＥＤ照明具１２０ａは機械的にそれぞれが平行に並べられ、電気的にはＬＥＤ照明具１２０ａ同士が並列に接続されている例とする。
なお、この実施例２でも、ＬＥＤ照明具１２０ａは直管型ＬＥＤ照明具の例とするが、実施例１で述べたように、ＬＥＤ照明具１２０ａはかならずしも直管型ＬＥＤ照明具である必要はなく、多様なＬＥＤ照明具に適用できる。【００５２】
図１１に示す構成例は、ＬＥＤ照明具１２０ａは、直管部材１２１、第１の口金１２２、第２の口金１２３、電子基板１２４、ＬＥＤライン光源１２５、第２の渡り電圧供給線１２６−２、接続線または電圧制御回路１２７を備えたものである。
図１１に示した上記構成において、直管部材１２１、第１の口金１２２、第２の口金１２３、電子基板１２４、ＬＥＤライン光源１２５は実施例１において示したものと同様で良くここでの説明は省略する。
実施例２のＬＥＤ照明具１２０ａにおいて、渡り電圧供給線１２６は、実施例１のＬＥＤ照明具１２０の第１の渡り電圧供給線１２６−１のような内部を通貫するものではなく、第１の口金１２２および第２の口金１２３の側方外部に設けた第２の渡り電圧供給線１２６−２となっている。【００５３】
第２の渡り電圧供給線１２６−２は、直管部材１２１や、第１の口金１２２および第２の口金１２３から側方に設けられた電気線コードであり、並列に並べられた各々のＬＥＤ照明具１２０ｂの間を電気的に連結するコードである。
第２の渡り電圧供給線１２６−２、接続線または電圧制御回路１２７の電気的な構成については図１４において後述する。【００５４】
実施例２の支持体１４０は１つあたりのＬＥＤ照明具１２０ａに対して複数個設けられ、それぞれバランス良く両端近くに一体化して取り付けられている。支持体１４０の個数は限定されず、例えば、１つあたりのＬＥＤ照明具１２０ａに対して２個から４個程度設けられていても良い。【００５５】
実施例２の構成におけるＬＥＤ照明具１２０ａの配設作業の概略を述べる。
図１２は、実施例２のＬＥＤ照明具１２０ａを順に支持体１４０に載置または係止し、次々と配設してゆく様子を示す図である。
図１２に示すように、ＬＥＤ照明具１２０ａの配設方向がＬＥＤ照明具１２０ａの長さ方向とは直交となっていることが分かる。複数本のＬＥＤ照明具１２０ａを並列に配設される。【００５６】
図１２（ｂ）に示すように、取り付け作業時に作業員が、ＬＥＤ照明具１２０ａを１本ずつ直交するように支持体１４０に取り付けていけばよい。
実施例２では、取り付け作業の際、ＬＥＤ照明具１２０ａ同士は、機械的には直接接続はなく、所定の間隔を空けて並べられている。支持体１４０が人工植栽棚１１０の長さ方向に沿って所定の間隔をあけつつ設けられており、その支持体１４０に対してＬＥＤ照明具１２０ａを載置または係止し、次々と配設してゆけば良い。【００５７】
図１３は、実施例２の人工栽培装置１００ａにおける電気的配線を行う様子を示す図である。
電気的配線については、図１３（ａ）から図１３（ｂ）に示すように、ＬＥＤ照明具１２０ａの第１の口金１２２の第２の渡り電圧供給線１２６−２と、隣接するＬＥＤ照明具１２０ａの第１の口金１２２の第２の渡り電圧供給線１２６−２同士を接続し、また、ＬＥＤ照明具１２０ａの第２の口金１２３の第２の渡り電圧供給線１２６−２と、隣接するＬＥＤ照明具１２０ａの第２の口金１２３の第２の渡り電圧供給線１２６−２同士を接続するという手順で接続していく。【００５８】
図１４は、実施例２にかかるＬＥＤ照明具１２０ａの電気的接続構成を示す図である。図１４（ａ）に示した取り付け例のように、隣接し合う第１の口金１２２同士、第２の口金１２３同士が第２の渡り電圧供給線１２６−２を介して相互に接続されると、図１４（ｂ）に示すように、電圧供給路となる渡り電圧供給線である第２の渡り電圧供給線１２６−２同士は直列に接続される。つまり、図１４（ａ）に示すように、第１の口金１２２の第２の渡り電圧供給線１２６−２同士、第２の口金１２３の第２の渡り電圧供給線同士の接続によって、外部から供給される電圧が共通の電圧線として図１４（ｂ）では水平に設けられることとなる。【００５９】
図１４（ｂ）に示すように、第２の渡り電圧供給線１２６−２から引き込み線である接続線または電圧制御回路１２７により並列に電圧が引き込まれ、ＬＥＤライン光源１２５に通電した状態とすることができる。
外部からの供給電圧は、第２の渡り電圧供給線１２６−２を通って、次段のＬＥＤ照明具１２０に順々に渡され、引き込み線である接続線または電圧制御回路１２７により並列につながった各々のＬＥＤ照明具１２０に均等に２００Vが印加され、内部のＬＥＤライン光源１２５に引き込まれ、各々のＬＥＤ素子に３Ｖ程度の電圧が印加される。【００６０】
ここで、外部から第２の渡り電圧供給線１２６−２に供給される電力の電源は、実施例１と同様、本発明では特に限定はされず多様な電源が適用できる。定電圧源、定電流源でも良い。一般には定電圧源の方がその回路構成が簡単な場合が多い。定電圧源とする場合、外部から商用電源を所定電圧（例えば２００Ｖ）に調整したものを供給するものでも良い。なお、スイッチング電源を適用して均質な電圧を得るものでも良いが回路構成が複雑になる。本発明は人工栽培装置１００であるので、小さな電圧の変動などは問題にならないケースが多く、外部の商用電源が２００Ｖであればそのまま使用でき、外部の商用電源が１００Ｖの場合はトランスの昇圧調整程度で２００Ｖとすれば十分な場合も多い。また、本発明者が先行して出願しているＰＣＴ／ＪＰ２０１８／０１３２０６号のような電圧源でも適用可能である。【００６１】
このような簡単な取り付け作業のみで、複数本のＬＥＤ照明具１２０ａのすべてについて、所定位置への取り付け工事、さらには電気配線工事を完了することができる。
なお、本実施例２は、ＬＥＤ照明具１２０同士を電気的に並列に接続されていれば良く、機械的な配列としては、かならずしもＬＥＤ照明具１２０同士が平行に並んでいる必要はなく、ジグザグ状に配列されていたり相互に相対的に角度が付いていたりしても良く、配列は多様なものが可能である。【００６２】
本発明の技術的範囲を逸脱することなく種々の変更が可能であることは理解されるであろう。
以上、本発明の好ましい実施形態を図示して説明してきたが、本発明は、多様な植物種の植物工場に適用できる人工栽培装置として広く適用することができる。
【符号の説明】
【００６３】
１００  ＬＥＤ照明具
１１０  人工栽培植物棚
１２０  ＬＥＤ照明具
１２１  直管部材
１２２  第１の口金
１２２１  金属製の差し込みピン
１２３  第２の口金
１２３１  金属製のピンホール
１２４  電子基板
１２５  ＬＥＤライン光源
１２６−１  第１の渡り電圧供給線
１２６−２  第２の渡り電圧供給線
１２７  接続線または電圧制御回路
１４０  支持体
１４１  円弧状の窪み形状
１４２  Ｖ字形状の窪み形状
【図１】
0006970471.tif 000002
【図２】
0006970471.tif 000003
【図３】
0006970471.tif 000004
【図４】
0006970471.tif 000005
【図５】
0006970471.tif 000006
【図６】
0006970471.tif 000007
【図７】
0006970471.tif 000008
【図８】
0006970471.tif 000009
【図９】
0006970471.tif 000010
【図１０】
0006970471.tif 000011
【図１１】
0006970471.tif 000012
【図１２】
0006970471.tif 000013
【図１３】
0006970471.tif 000014
【図１４】
0006970471.tif 000015
【図１５】
0006970471.tif 000016
【図１６】
0006970471.tif 000017